(57)【要約】【目的】既設の下段足場板上での搬送が容易で、取付作業が短時間で簡単に行える安全手摺を提供すること。【解決手段】上下方向に継ぎ足してなる支柱２を複数並立させると共に、隣り合う支柱２，２間に足場板３を上下複数段に架け渡して組み立てられる足場４の組立にあたり、既設の下段側足場板３から、新設する上段側足場板３の先行仮設手摺として取り付ける安全手摺であって、水平杆６とこれの一端部が枢着された斜杆７とからなり、水平杆６の両端部には支柱２の差込部５に掛止可能なフック８，９を設け、斜杆７の他端部には支柱２の差込部５に固定可能な固定金具１０を備えている。【選択図】        図４
2005068650.tif 000002
【特許請求の範囲】
【請求項１】
上下方向に継ぎ足してなる支柱を複数並立させると共に、隣り合う支柱間に足場板を上下複数段に架け渡して組み立てられる足場の組立にあたり、支柱に設けられた差込部を利用して、既設の下段側足場板から、新設する上段側足場板の先行仮設手摺として取り付ける安全手摺であって、
水平杆と、この水平杆に一端部が枢着された斜杆と、からなり、
水平杆の両端部には支柱の差込部に掛止可能なフックを設け、斜杆の他端部には支柱の差込部に固定可能な固定金具を備え、この固定金具は、支柱の差込部に掛止可能なコ字状枠片と、差込部に掛止させたコ字状枠片の上方からこれらコ字状枠片及び差込部を貫通して打ち込まれる楔と、からなる安全手摺。
【請求項２】
斜杆の一端部は水平杆の一端部寄りに枢着されてなる請求項１に記載の安全手摺。
【請求項３】
斜杆の一端部は水平杆の一端部寄りに枢着され、水平杆の一端部にあるフックは、水平杆の一端から同軸状に延びる水平軸部とこれの先端から垂直下向きに延びる垂直軸部とからなり、水平杆の他端部にあるフックは、水平杆の他端から同軸状に延びる水平軸部とこれの先端から水平軸部に対し鋭角を成すように斜めに延びる斜軸部とからなる請求項１に記載の安全手摺。
【発明の詳細な説明】
【０００１】
【発明の属する技術分野】
本発明は、建設作業現場において、上下方向に継ぎ足してなる支柱を複数並立させると共に、隣り合う支柱間に足場板を上下複数段に架け渡して組み立てられる単管足場の組立にあたり、支柱に設けられた孔付きフランジ等の差込部を利用して、既設の下段側足場板から、新設する上段側足場板の先行仮設手摺りとして取り付ける安全手摺に関するものである。
【０００２】
【従来の技術】
従来の安全手摺は、公知文献を具体的に上げることは出来ないが、両側一対の竪杆と上下の横杆とで形成される周枠に複数の中桟を配設して矩形枠体状に構成したもので、この矩形枠体状手摺を、既設の下段側足場板から、新設する上段側足場板に持ち上げることによって、隣り合う両支柱に取り付けるようになっている。
【０００３】
【発明が解決しようとする課題】
上記のような安全手摺では、矩形枠体状であるため作業員が持ち難く、既設の下段足場板上での搬送が面倒であり、また矩形枠体状であるため既設の下段足場板上で作業員が万歳をするような恰好で安全手摺を持ち上げて、新設する上段側足場板での取付作業を行わねばならず、従って安全手摺の取付作業が非常に面倒で、非常な時間と手間がかかっていた。
【０００４】
本発明は、既設の下段足場板上での搬送が容易で、取付作業が短時間で簡単に行える安全手摺を提供することを目的とする。
【０００５】
【課題を解決するための手段】
請求項１に係る発明の安全手摺１は、上下方向に継ぎ足してなる支柱２を複数並立させると共に、隣り合う支柱２，２間に足場板３を上下複数段に架け渡して組み立てられる足場４の組立にあたり、支柱２に設けられた差込部５を利用して、既設の下段側足場板３から、新設する上段側足場板３の先行仮設手摺として取り付ける安全手摺であって、水平杆６と、この水平杆６に一端部が枢着された斜杆７と、からなり、水平杆６の両端部には支柱２の差込部５に掛止可能なフック８，９を設け、斜杆７の他端部には支柱２の差込部５に固定可能な固定金具１０を備え、この固定金具１０は、支柱２の差込部５に掛止可能なコ字状枠片１１と、差込部５に掛止させたコ字状枠片１１の上方からこれらコ字状枠片１１及び差込部５を貫通して打ち込まれる楔１２と、からなることを特徴とする。
【０００６】
請求項２は、請求項１に記載の安全手摺１において、斜杆７の一端部は水平杆６の一端部寄りに枢着されてなることを特徴とする。
【０００７】
請求項３は、請求項１又は２に記載の安全手摺において、斜杆７の一端部は水平杆６の一端部寄りに枢着され、水平杆６の一端部にあるフック８は、水平杆６の一端から同軸状に延びる水平軸部８ａとこれの先端から垂直下向きに延びる垂直軸部８ｂとからなり、水平杆６の他端部にあるフック９は、水平杆６の他端から同軸状に延びる水平軸部９ａとこれの先端から水平軸部９ａに対し鋭角を成すように斜めに延びる斜軸部９ｂとからなることを特徴とする。
【０００８】
【発明の実施の形態】
本発明の好適な実施形態について図面を参照しながら説明すると、図１の（ａ）は本発明に係る安全手摺１を示す使用状態での正面図であり、（ｂ）  は折り畳み状態での安全手摺１の正面図である。図２の（ａ）  は図１の（ａ）  における矢印イで示す部分の拡大図、（ｂ）  は矢印ロで示す部分の拡大図であり、（ｃ）  は矢印ハで示す部分の拡大図であり、（ｄ）  は（ｃ）  の側面図である。図３の（ａ）  は図１の（ａ）  の矢印ニで示す部分の拡大斜視図であり、（ｂ）  は同部分の使用状態を示すもので、図６の（ａ）  の矢印ホで示す部分の拡大図である。図４〜図６は安全手摺１の取付方法を説明する説明図である。
【０００９】
この安全手摺１は、図４〜図６に示すように、上下方向に継ぎ足してなる支柱２を複数並立させると共に、足場板長手方向に隣り合う支柱２，２間に足場板３を上下複数段に架け渡して組み立てられる単管足場４の組立にあたり、支柱２に設けられた差込部５を利用して、実線で示す既設の下段側足場板３から、仮想線図示の新設する上段側足場板３の先行仮設手摺として取り付けるようにしたもので、水平杆６と、この水平杆６に一端部が枢着された斜杆７とからなる。尚、図４〜図６において、２０及び２１は下段側足場板３用の本設の手摺材である中桟及び上桟を示す。
【００１０】
水平杆６の両端部には支柱２の差込部５に掛止可能なフック８，９が設けられており、斜杆７の他端部には支柱２の差込部５に固定可能な固定金具１０が備えられている。固定金具１０は、支柱２の差込部５に掛止可能なコ字状枠片１１と、差込部５に掛止させたコ字状枠片１１の上方からコ字状枠片１１及び差込部５を上下方向に貫通して打ち込まれる楔１２とからなる。
【００１１】
差込部５は、各支柱２に長手方向所要間隔おきに固着されたフランジ部材からなるもので、各フランジ部材５には、図７に示すように、差込孔５ａが９０度の間隔で４つ開口形成されている。足場板３の両端部は、単管足場４の横方向（足場板３の幅方向）に隣り合う支柱２，２のフランジ部材５，５に連結された横ステー１８，１８に掛止用フック１９によって掛止される（図６の（ｂ）  参照）。
【００１２】
上記安全手摺１の構造について更に詳しく説明すると、斜杆の一端部は、図１の（ａ）  に示すように、水平杆６の一端部寄りの位置、つまり水平杆６の長手方向中央部でもなく、水平杆６の一端部でもなく、その中間部位に枢着されている。このように斜杆７の枢着部Ｐを、水平杆６の一端部ではなく、水平杆６の一端部寄りの位置に設けたのは、後述するように、安全手摺１の取付作業をし易くするためである。尚、枢着部Ｐは、図２の（ｃ）  に示すように、水平杆６にＵ字形金具１３を固着し、このＵ字形金具１３に斜杆７の一端部を挟み込んでボルト・ナット１４で回転自在に取り付けてなるものである。
【００１３】
そして、水平杆６の一端部にあるフック８は、図２の（ａ）  に示すように、水平杆６の一端から同軸状に延びる水平軸部８ａとこれの先端から垂直下向きに延びる垂直軸部８ｂとによってＬ字状に形成され、水平杆６の他端部にあるフック９は、図２の（ｂ）  に示すように水平杆６の他端から同軸状に延びる水平軸部９ａとこれの先端から水平軸部９ａに対し鋭角、例えば４５度を成すように斜めに延びる斜軸部９ｂとによってＶ字状に形成されている。
【００１４】
斜杆７の他端部に設けられる固定金具１０のコ字状枠片１１は、斜杆７の他端部にＵ字状取付部片１５を介して取付固定されたもので、図３の（ａ）  に示すように上部片１１ａに上孔１６を形成し、下部片１１ｂに下孔１７を形成している。しかして、支柱２の差込部であるフランジ部材５への取り付けにあたっては、図３の（ｂ）  に示すように、コ字状枠片１１の上部片１１ａを支柱２のフランジ部材５上に掛止させた状態で、楔１２を上部片１１ａの上孔１６からフランジ部材５の差込孔５ａに差し込んで更に下部片１１ｂの下孔１７に挿入することにより、楔１２の楔効果によってコ字状枠片１１をフランジ部材５に固定するようになっている。
【００１５】
次に、上記のような構成よりなる安全手摺１の使用方法について、図４〜図６に沿って説明すると、これらの図において、実線で示される足場板３は単管足場４における既設の下段側足場板であり、仮想線で示される足場板３は新設の上段足場板であって、安全手摺１は、既設の下段側足場板３から、新設する上段足場板３の先行仮設手摺として支柱２，２に取り付けるものである。
【００１６】
この安全手摺１は、取付前は、図１の（ｂ）  に示すように斜杆７が水平杆６に添って折り畳まれて水平杆６の長さ範囲内に収納された折畳収納状態にしておく。しかして、この折畳収納状態にある安全手摺１を、作業員Ｍが図４に示すように既設の下段側足場板３上において、一方の手で水平杆６の一端部側を持ち、他方の手で斜杆７の中間部を持って、水平杆６を斜め上方に持ち上げながら、その上端部のフック９を、両支柱２，２の一方の支柱２にあるフランジ部材５の差込孔５ａに挿入して掛止させる。
【００１７】
水平杆６を斜め上方に持ち上げながらその上端部のフック９を支柱２のフランジ部材５の差込孔５ａに挿入する際に、フック９が、水平杆６と同軸状に延びる水平軸部９ａと、これの先端から水平軸部９ａに対し鋭角を成すように斜めに延びる斜軸部９ｂとでＶ字状に形成されているから、差込孔５ａへのフック９の挿入操作がし易いと共に、フック９が差込孔５ａに一旦挿入したら抜け難い。
【００１８】
こうして安全手摺１の水平杆６の一方のフック９を一方の支柱２のフランジ部材５に掛止したならば、作業員Ｍは、図５に示すように、斜杆７を持ち上げて、水平杆６が水平より若干右肩上がりの状態から他方のフック８を他方の支柱２にあるフランジ部材５の差込孔５ａに挿入して掛止させる。この際、斜杆７の一端部が水平杆６の一端部寄りの位置、つまり水平杆６の長手方向中央部でもなく、水平杆６の一端部でもなく、その中間部位に枢着されているため、上記のように斜杆７を持ち上げる時に当該他方の支柱２に寄り添うことなくその支柱２から離れた位置で斜杆７を垂直に立てた状態でそのまま持ち上げればよいから、斜杆７の持ち上げ操作及びフランジ部材５へのフック８の挿入操作を容易且つ的確に行うことができる。またこの際、フック８が、水平杆６から同軸状に延びる水平軸部８ａとこれの先端から垂直下向きに延びる垂直軸部８ｂとでＬ字状に形成されているから、差込孔５ａへのフック９の挿入操作が容易となる。
【００１９】
上記のように水平杆６の両端部のフック８，９を隣り合う支柱２，２のフランジ部材５，５に夫々挿入掛止させた後、作業員Ｍは、図６に示すように、斜杆７の下端部にある固定金具１０のコ字状枠片１１を支柱２のフランジ部材５に掛止させて、このコ字状枠片１１の上方から楔１２をコ字状枠片１１の上下孔１１ａ，１１ｂ及びフランジ部材５の差込孔５ａに貫通するように打ち込むことによって、コ字状枠片１１をフランジ部材５に固定し、それにより斜杆７の下端部を支柱２に固定し、安全手摺１の取付けを終える。
【００２０】
即ち、図６に示すように、水平杆６の両端フック８，９を隣り合う支柱２，２のフランジ部材５，５に夫々掛止させ、斜杆７の下端部を固定金具１０を介して一方の支柱２のフランジ部材５に固定して、両支柱２，２間に、新設する上段側足場板３の先行仮設手摺としての安全手摺１の仮設が完了する。こうして安全手摺１を仮設した後、図４〜図６に仮想線で示す上段側足場板３を架け渡す。この足場板３は、図６の（ｂ）  に示すように足場板３の幅方向に隣り合う支柱２，２のフランジ部材５，５に連結された横ステー１８，１８に掛止用フック１９で掛止させることにより架け渡される。
【００２１】
上段側足場板３の設置後、この上段側足場板３の上方において足場板３の長手方向に隣り合う支柱２，２間に本設の手摺材２１（上桟）を架け渡す。そして、この手摺材２１の架け渡し後に安全手摺１を支柱２，２から取り外し、同じく本設の手摺材２０（中桟）を支柱２，２間に架け渡す。本設の手摺材２１，２０の架け渡しは、各手摺材２１，２０の両端部に設けられた取付金具２２，２２によって行う。各取付金具２２は上述した安全手摺１の固定金具１０と同様なものであり、その取付要領も同様である。尚、図４〜図６には下段側足場板３用の本設の手摺材２１，２０を実線で示す。
【００２２】
以上説明したように本発明に係る安全手摺１は、水平杆６とこれに一端部が枢着された斜杆７とからなるもので、折り畳めば、略々１本の棒状体となるため、持ち運びが容易であると共に、取付作業が容易となる。また、水平杆６の両端部には支柱２のフランジ部材５に掛止可能なフック８，９を設け、斜杆７の他端部にはフランジ部材５に固定可能な固定金具１０を備えていて、取付作業においては、上述のように、作業員Ｍが既設の下段側足場板３上において、一方の手で水平杆６の一端部側を持ち、他方の手で斜杆７の中間部を持って、水平杆６を斜め上方に持ち上げながらその上端部のフック９を、隣り合う両支柱２，２の一方の支柱２のフランジ部材５の差込孔５ａに挿入した後、斜杆７を持ち上げて、他方のフック８を他方の支柱２にあるフランジ部材５の差込孔５ａに挿入し、そして斜杆７の下端部にある固定金具１０を支柱２のフランジ部材５に固定させればよいから、取付作業を迅速容易に行うことができる。
【００２３】
そして、固定金具１０は、支柱２のフランジ部材５に掛止可能なコ字状枠片１１と、フランジ部材５に掛止させたコ字状枠片１１の上方からコ字状枠片１１及びフランジ部材５を貫通して打ち込まれる楔１２とからなるもので、コ字状枠片１１をフランジ部材５に掛止させて、このコ字状枠片１１の上方から楔１２をコ字状枠片１１の上下孔１１ａ，１１ｂ及びフランジ部材５の差込孔５ａに貫通するように打ち込むことによって、コ字状枠片１１をフランジ部材５に簡単に固定できる。
【００２４】
特に、この安全手摺１では、斜杆７の一端部が、水平杆６の一端部寄りの位置、つまり水平杆６の長手方向中央部でもなく、水平杆６の一端部でもなく、その中間部位に枢着されているため、一方のフック９を一方の支柱２のフランジ部材５に掛止させた後、作業者Ｍが他方のフック８を他方の支柱２のフランジ部材５に掛止させるために斜杆７を持ち上げる時に、斜杆７を当該他方の支柱２から離れた位置で斜杆７を垂直に立てた状態でそのまま持ち上げればよいから、斜杆７の持ち上げ操作及びフランジ部材５へのフック８の挿入操作を容易にしかも的確に行うことができる。
【００２５】
因みに、斜杆７の一端部が水平杆６の一端部に枢着されている場合には、斜杆７を支柱２に添わせながら持ち上げると、斜杆７が支柱２やフランジ部材５にぶつかったり、斜杆７を持つ手が支柱２やフランジ部材５に当たる不都合があるため、斜杆７の下端部が支柱２から離れるように斜杆７を傾斜させた状態で持ち上げながらフック８をフランジ部材５に掛止させなければならず、そうすると斜杆７の持ち上げ操作及びフランジ部材５へのフック８の挿入操作が非常にやり難くなる。
【００２６】
以上の実施形態では、支柱２の差込部５をフランジ部材５からなるものとしているが、この差込部５はフランジ部材５に限るものではなく、平面視コ字形の枠片を支柱２の外周面に周方向所要間隔おきに固着してなるポケット型の差込部でもよい。このポケット型差込部の場合、固定金具１０のコ字状枠片１１は、上部片１１ａと下部片１１ｂとがポケットの上下両端面に当接するように掛止されることになる。
【００２７】
【発明の効果】
請求項１に係る発明の安全手摺は、水平杆とこれの一端部が枢着された斜杆とからなるため、折り畳めば、略々１本の棒状体となるため、持ち運びが容易であると共に、取付作業が容易となる。また、水平杆の両端部には支柱のフランジ部材に掛止可能なフックを設け、斜杆の他端部にはフランジ部材に固定可能な固定金具を備えていて、取付作業においては、作業員が既設の下段側足場板上において、一方の手で水平杆の一端部側を持ち、他方の手で斜杆の中間部を持って、水平杆を斜め上方に持ち上げながら上端部のフックを、隣り合う両支柱の一方の支柱の差込部に挿入した後、斜杆を持ち上げて、他方のフックを他方の支柱の差込部に挿入し、そして斜杆の下端部にある固定金具を支柱の差込部に固定させればよいから、取付作業を迅速容易に行うことができる。
【００２８】
また固定金具は、支柱の差込部に掛止可能なコ字状枠片と、差込部に掛止させたコ字状枠片の上方からコ字状枠片及び差込部を貫通して打ち込まれる楔とからなるもので、コ字状枠片を差込部に掛止させて、この差込部の上方から楔をコ字状枠片及び差込部を貫通するように打ち込むことによって、コ字状枠片を差込部に簡単に固定させることができる。
【００２９】
請求項２に係る発明によれば、斜杆の一端部が水平杆の一端部寄りに枢着されているから、一方のフックを一方の支柱の差込部に掛止させた後、作業者が他方のフックを他方の支柱の差込部に掛止させるために斜杆を持ち上げる時に、斜杆を当該他方の支柱から離れた位置で斜杆を垂直に立てた状態でそのまま持ち上げるようにすればよいから、斜杆の持ち上げ操作及び差込部へのフックの挿入操作が容易で的確に行うことができる。
【００３０】
請求項３に係る発明によれば、斜杆の一端部が水平杆の一端部寄りに枢着されてい、水平杆の一端部にあるフックが、水平杆の一端から同軸状に延びる水平軸部とこれの先端から垂直下向きに延びる垂直軸部とからなり、また水平杆の他端部にあるフックが、水平杆の他端から同軸状に延びる水平軸部とこれの先端から水平軸部に対し鋭角を成すように斜めに延びる斜軸部とからなるため、両側支柱の差込部への両フックの挿入操作が非常に容易となる。
【図面の簡単な説明】
【図１】（ａ）  は本発明に係る安全手摺を示す使用状態での正面図、（ｂ）  は折り畳み収納状態での安全手摺の正面図である。
【図２】（ａ）  は図１の（ａ）  における矢印イで示す部分の拡大図、（ｂ）  は矢印ロで示す部分の拡大図、（ｃ）  は矢印ハで示す部分の拡大図、（ｄ）  は（ｃ）  の側面図である。
【図３】（ａ）  は図１の（ａ）  の矢印ニで示す部分の拡大斜視図、（ｂ）  は同部分の使用状態を示すもので、図６の（ａ）  の矢印ホで示す部分の拡大図である。
【図４】安全手摺の取付方法を説明する説明図で、最初の段階を示す。
【図５】安全手摺の取付方法を説明する説明図で、途中の段階を示す。
【図６】安全手摺の取付方法を説明する説明図で、最後の段階を示す。
【図７】安全手摺の取付状態を示す平面図である。
【符号の説明】
１          安全手摺
２          支柱
３          足場板
４          足場
５          フランジ部材（差込部）
５ａ        フランジ部材の差込孔
６          水平杆
７          斜杆
８          フック
８ａ        水平軸部
８ｂ        垂直軸部
９          フック
９ａ        水平軸部
９ｂ        斜軸部
１０        固定金具
１１        コ字状枠片
１２        楔
【図１】
2005068650.tif 000003
【図２】
2005068650.tif 000004
【図３】
2005068650.tif 000005
【図４】
2005068650.tif 000006
【図５】
2005068650.tif 000007
【図６】
2005068650.tif 000008
【図７】
2005068650.tif 000009